(57)【要約】【課題】  高速化、多様化が図れる連続紙使用の電子写真装置を提供する。【解決手段】  １つの発振器１０１と、ＰＬＬを用いた周波数同期回路Ａ１０２を備え、周波数同期回路Ａ１０２は逓倍比ｍ１と分周比ｎ１の設定によってリファレンス周波数Ｆ０の時に出力周波数Ｆ１＝ｍ１／ｎ１×Ｆ０を生成する機能を有しており、逓倍比ｍ１と分周比ｎ１の設定を切り替え可能な制御部１０４を備えた連続紙使用の電子写真装置において、装置の印刷速度を、周波数同期回路Ａ１０２の逓倍比ｍ１と分周比ｎ１の設定で切り替える。【選択図】        図１
2005148541.tif 000002
【特許請求の範囲】
【請求項１】
１つの発振器と、ＰＬＬを用いた周波数同期回路Ａを備え、その周波数同期回路Ａは逓倍比ｍ１と分周比ｎ１の設定によってリファレンス周波数Ｆ０の時に出力周波数Ｆ１＝ｍ１／ｎ１×Ｆ０を生成する機能を有し、逓倍比ｍ１と分周比ｎ１の設定を切り替え可能な制御部を備えた連続紙使用の電子写真装置において、
前記制御部は、当該電子写真装置の印刷速度を、前記周波数同期回路Ａの逓倍比ｍ１と分周比ｎ１の設定で切り替えることが可能になっていることを特徴とする連続紙使用の電子写真装置。
【請求項２】
請求項１の連続紙使用の電子写真装置において、前記制御部は、当該電子写真装置の解像度を、前記周波数同期回路Ａの逓倍比ｍ１と分周比ｎ１の設定で切り替えることが可能になっていることを特徴とする連続紙使用の電子写真装置。
【請求項３】
請求項１の連続紙使用の電子写真装置において、前記周波数同期回路Ａの次段に、その周波数同期回路Ａからの出力周波数Ｆ１をリファレンス周波数として入力するＰＬＬを用いた周波数同期回路Ｂを設けて、その周波数同期回路Ｂは逓倍比ｍ２と分周比ｎ２の設定によってリファレンス周波数Ｆ１の時に出力周波数Ｆ２＝ｍ２／ｎ２×Ｆ１を生成する機能を有し、前記制御部は逓倍比ｍ２と分周比ｎ２の設定を切り替え可能であり、印刷速度における当該電子写真装置の解像度切り替えを、前記周波数同期回路Ｂの逓倍比ｍ２と分周比ｎ２の設定で切り替えることを特徴とする連続紙使用の電子写真装置。
【発明の詳細な説明】
【技術分野】
【０００１】
本発明は、連続紙電子写真装置に関し、特にその印刷速度、解像度切り替え制御方式に関する。
【背景技術】
【０００２】
光学系にレーザビームを用いた連続紙使用の電子写真装置は、一定に回転させたポリゴンミラーでレーザビームを感光体ドラム面上に走査させて、一定に回転する感光体ドラム面上に印刷画像を形成する。感光体ドラムの周速と一致するようにトラクタもしくはロールによって連続紙を搬送し、感光体ドラム面から用紙上に印刷画像を転写する。
【０００３】
ここで、レーザビームを走査するポリゴンミラーの回転と感光体ドラムの回転とトラクタ用紙搬送速度は同期をとる必要があり、同一の発振器を用いるのが一般的である。制御クロックを基準に各デバイスを駆動しており、同一の発振器から生成する制御クロックであれば相対的な同期が保証される。
【０００４】
異なる発振器で制御すると、電子写真装置はそのばらつきの差が累積するためデバイスの同期が外れ、正常な装置性能を実現できない。装置の光学仕様と用紙搬送速度及び感光体ドラム回転速度に基き制御クロックの周波数は一義的に定まり、上述の通り発振器は１つが条件であることから、発振周波数は各デバイスに必要なクロック周波数の最小公倍数から求め、精度の点で水晶発振器が用いられている。
【０００５】
図２は、従来例に係る連続紙使用の電子写真装置における発振器から制御クロックを生成するクロック生成部の構成図である。光学仕様や印刷速度仕様毎に発振周波数が異なるため、発振器２０１をＡ、Ｂ、Ｃの如く複数個準備する。装置仕様に従い、制御部２０５はセレクタ２０２により発振器２０１を選択し、分周回路２０３で分周して印刷速度を制御する制御クロックＦ１を生成する。またセレクタ２０４では解像度に見合った分周クロックを選択して、解像度を制御する制御クロックＦ２を生成する。
【０００６】
このように従来は、光学仕様や印刷速度仕様毎にそれぞれ発振器を準備していた。そして同一装置で複数の速度に切り替えるには、速度に応じて水晶発振器をそれぞれ準備して、速度に応じて水晶発振器を切り替えた。
【０００７】
下記特許文献１には、タンデム印刷とシングル印刷で印刷速度を切り替える技術が提案されている。
【特許文献１】特開平８−５０４２９号公報
【発明の開示】
【発明が解決しようとする課題】
【０００８】
従来は、光学仕様や印刷速度仕様毎にそれぞれ周波数が違う発振器が必要であった。印刷速度切り替え仕様を実現する上で発振器の個数が印刷速度の選択肢に制約を与える問題がある。そしてこのような多品種、少量の部品は、発注から納入までのリードタイムが掛かり、また生産中止の可能性が高いため、装置の開発において発振器の入手期間に制約を受け、装置の生産においても流通上のトラブルを引き起こす問題があった。
【０００９】
また装置のデバイスに必要なクロツクの最小公倍数から発振周波数を求めるため、概して高周波領域となり、装置の放射ノイズの問題があった。さらに高周波回路や伝送路の信頼性を確保するための部品選定、実装設計に開発人員を割り当てるなど負担が大きかった。
【００１０】
本発明の目的は、このような従来技術の欠点を解消し、高速化、多様化を図ることが可能な連続紙使用の電子写真装置を提供することにある。
【課題を解決するための手段】
【００１１】
前記目的を達成するために、本発明の第１の手段は、１つの発振器と、ＰＬＬを用いた周波数同期回路Ａを備え、その周波数同期回路Ａは逓倍比ｍ１と分周比ｎ１の設定によってリファレンス周波数Ｆ０の時に出力周波数Ｆ１＝ｍ１／ｎ１×Ｆ０を生成する機能を有し、逓倍比ｍ１と分周比ｎ１の設定を切り替え可能な制御部を備えた連続紙使用の電子写真装置において、前記制御部は、当該電子写真装置の印刷速度を、前記周波数同期回路Ａの逓倍比ｍ１と分周比ｎ１の設定で切り替えることが可能になっていることを特徴とするものである。
【００１２】
本発明の第２の手段は前記第１の手段において、前記制御部は、当該電子写真装置の解像度を、前記周波数同期回路Ａの逓倍比ｍ１と分周比ｎ１の設定で切り替えることが可能になっていることを特徴とするものである。
【００１３】
本発明の第３の手段は前記第１の手段において、前記周波数同期回路Ａの次段に、その周波数同期回路Ａからの出力周波数Ｆ１をリファレンス周波数として入力するＰＬＬを用いた周波数同期回路Ｂを設けて、その周波数同期回路Ｂは逓倍比ｍ２と分周比ｎ２の設定によってリファレンス周波数Ｆ１の時に出力周波数Ｆ２＝ｍ２／ｎ２×Ｆ１を生成する機能を有し、前記制御部は逓倍比ｍ２と分周比ｎ２の設定を切り替え可能であり、印刷速度における当該電子写真装置の解像度切り替えを、前記周波数同期回路Ｂの逓倍比ｍ２と分周比ｎ２の設定で切り替えることを特徴とするものである。
【発明の効果】
【００１４】
本発明は前述のように、１つの発振器と、ＰＬＬを用いた周波数同期回路Ａを備え、その周波数同期回路Ａは逓倍比ｍ１と分周比ｎ１の設定によってリファレンス周波数Ｆ０の時に出力周波数Ｆ１＝ｍ１／ｎ１×Ｆ０を生成する機能を有し、逓倍比ｍ１と分周比ｎ１の設定を切り替え可能な制御部を備えた連続紙使用の電子写真装置において、前記制御部は、当該電子写真装置の印刷速度を、前記周波数同期回路Ａの逓倍比ｍ１と分周比ｎ１の設定で切り替えることが可能になっているため、電子写真装置の高速化、多様化を図ることが可能となる。
【発明を実施するための最良の形態】
【００１５】
以下、図面を参照して、本発明の実施形態を詳細に説明する。
【００１６】
本発明においても、光学系にレーザビームを用い、一定の速度で回転するポリゴンミラーでレーザビームを感光体ドラム面上に走査させて、一定の速度で回転する感光体ドラム面上に印刷画像を形成する。感光体ドラムの周速と一致するようにトラクタもしくはロールによって連続紙を搬送し、感光体ドラム面から用紙上に印刷画像を転写する。ここで、レーザビームを走査するポリゴンミラーの回転と感光体ドラムの回転と用紙搬送は同期をとる必要があり、一つの発振器を用いる。
【００１７】
そして本発明では、１つの発振器とＰＬＬによる周波数同期回路を用いて、複数の印刷速度に相当する発振周波数を逓倍比ｍ１と分周比ｎ１の設定により生成する。また次段にもう１つのＰＬＬによる周波数同期回路を付加し、各印刷速度における複数の解像度に相当する発振周波数を次段の周波数同期回路の逓倍比ｍ２と分周比ｎ２の設定により生成する。
【００１８】
即ち、装置のデフォルトである印刷速度Ｖ０と発振周波数Ｆ０は(１)式の関係にある。ここでＡは係数である。
【００１９】
Ｆ０＝Ａ×Ｖ０                  (１)
ＰＬＬによる周波数同期回路の逓倍比ｍ１と分周比ｎ１から出力周波数Ｆ１は(２)式の関係にある。
【００２０】
Ｆ１＝ｍ１／ｎ１×Ｆ０＝ｍ１／ｎ１×Ａ×Ｖ０      (２)
ここで、ｎ１＝Ｖ０、ｍ１＝Ｖ０＋ΔＶとおくと、印刷速度Ｖ０の発振器から印刷速度Ｖ０＋ΔＶ時の発振周波数を(３)式より得る。ここでｎ１、Ｖ０、ｍ１、ΔＶの取り得る値は整数である。
【００２１】
Ｆ１＝ｍ１／ｎ１×Ａ×Ｖ０＝Ａ×(Ｖ０＋ΔＶ)        (３)
次に解像度Ｄの時の制御クロックＦＭと発振周波数Ｆは(４)式の関係にある。ここでＢは係数である。
【００２２】
ＦＭ＝Ｆ×Ｄ／Ｂ          (４)
ＰＬＬによる周波数同期回路の逓倍比ｍ２と分周比ｎ２をＤとＢに置き替え(５)式を得る。
【００２３】
ＦＭ＝Ｆ×Ｄ／Ｂ＝Ｆ×ｍ２／ｎ２          (５)
これより、解像度Ｄの時の制御クロックＦＭを逓倍比ｍ２と分周比ｎ２の設定から得る。
【００２４】
前述の通り、装置のデフォルトである印刷速度Ｖ０用の発振器１つから複数の印刷速度の発振周波数が得られ、かつ各印刷速度における複数の解像度用の制御クロックを得ることができる。周波数同期回路の逓倍比ｍと分周比ｎの設定を変更する方式で、速度切り替えと解像度切り替えが可能である。
【００２５】
図１は、本発明の実施形態に係る連続紙電子写真装置における発振器から制御クロックを生成するクロック生成部の構成図である。同図に示すように１つの発振器１０１、ＰＬＬによる周波数同期回路Ａ１０２と周波数同期回路Ｂ１０３、制御部１０４から構成されている。発振器１０１から出力されるクロック信号を周波数同期回路Ａ１０２のリファレンスクロックとして入力する。
【００２６】
制御部１０４は、周波数同期回路Ａ１０２の逓倍比ｍ１と分周比ｎ１、周波数同期回路Ｂ１０３の逓倍比ｍ２と分周比ｎ２の設定を変更する。発振器１０１の発振周波数はＦ０、周波数同期回路Ａ１０２の出力周波数はＦ１、周波数同期回路Ｂ１０３の出力周波数はＦ２である。それぞれ関係式は下記の通りである。
【００２７】
Ｆ１＝ｍ１／ｎ１×Ｆ０  ：印刷速度の制御クロック
Ｆ２＝ｍ２／ｎ２×Ｆ１  ：解像度の制御クロック
装置仕様のデフォルトを印刷速度４８インチ／秒とし、この場合の発振器１０１の発振周波数は１２ＭＨｚである。そして、０．１インチ／秒刻みで１０インチ／秒〜１００インチ／秒の印刷速度をカバーする仕様を考える。この時、分周比ｎ１＝４８０、逓倍比ｍ１＝１００〜１０００にすることで実現可能である。
【００２８】
従って、分周比ｎ１のバス幅は９ビット(〜５１２)、逓倍比ｍ１のバス幅は１０ビット(〜１０２４)あればよい。例えば、印刷速度６０インチ／秒に切り替える場合、分周比ｎ１＝４８０、逓倍比ｍ１＝６００とし、この時、周波数同期回路が出力する制御クロックＦ１＝６００／４８０×１２ＭＨｚ＝１５ＭＨｚとなり、印刷速度６０インチ／秒用の制御クロックを得る。
【００２９】
次に、１０ドット／インチ刻みで２４０ドツト／インチ〜２４００ドット／インチの解像度をカバーする装置仕様を考える。この時、分周比ｎ２＝７２０、逓倍比ｍ２＝２４〜２４０にすることで実現可能である。
【００３０】
従って、分周比ｎ２のバス幅は１０ビット(〜１０２４)、逓倍比ｍ２のバス幅は８ビット(〜２５６)あればよい。例えば印刷速度６０インチ／秒の時に解像度６００ドット／インチに切り替える場合、分周比ｎ２＝７２０、逓倍比ｍ２＝６０とし、この時、周波数同期回路Ｂ１０３が出力する制御クロックＦ２＝６０／７２０×１５ＭＨｚ＝１．２５ＭＨｚとなり、印刷速度６０インチ／秒の時の解像度６００ドット／インチ用の制御クロックを得ることができる。
【図面の簡単な説明】
【００３１】
【図１】本発明の実施形態に係る連続紙使用の電子写真装置における発振器から制御クロックを生成するクロック生成部の構成図である。
【図２】従来例に係る連続紙使用の電子写真装置における発振器から制御クロックを生成するクロック生成部の構成図である。
【符号の説明】
【００３２】
１０１：発振器、１０２：周波数同期回路Ａ、１０３：周波数同期回路Ｂ、１０４：制御部。
【図１】
2005148541.tif 000003
【図２】
2005148541.tif 000004